(57)【要約】      （修正有）【課題】衝撃波ガンヘッドから発生した衝撃波を安定且つ効率よく患者の患部に伝達させて、衝撃波による治療の効果を向上させることが可能とする。【解決手段】カップリング媒質１と係着ハウジング２とを含み、係着ハウジング２はカップリング媒質１をガンヘッドの先端面と係着ハウジング２の内面との間に固定して、カップリング媒質１の衝撃波ガンヘッド２１０の先端面と互いに当接される表面を衝撃波ガンヘッド２１０の先端面と完全に貼り合わせて、係着ハウジング２のガンヘッドの先端面と対面する表面には貫通口が開けられており、カップリング媒質１は貫通口から延出した凸部を有し、凸部の端面は皮膚と貼り合わせるための貼り合わせ面として構成されている。【選択図】図１
2022001248.tif 000002
【特許請求の範囲】
【請求項１】
衝撃波ガンヘッドの先端面に取り付けるためのカップリング組立体であって、前記カップリング組立体はカップリング媒質と係着ハウジングとを含み、
前記係着ハウジングはカップリング媒質を衝撃波ガンヘッドの先端面と前記係着ハウジングの内面との間に挟みこんで、
前記カップリング媒質の衝撃波ガンヘッドの先端面と互いに当接される表面を衝撃波ガンヘッドの先端面と完全に貼り合わせて、前記係着ハウジングのガンヘッドの先端面と対面する表面には貫通口が開けられており、
前記カップリング媒質は前記貫通口から延出した凸部を有し、
前記凸部の端面は皮膚と貼り合わせるための貼り合わせ面として構成されている
ことを特徴とするカップリング組立体。
【請求項２】
前記係着ハウジングは係接により衝撃波ガンヘッドと取り外し可能に接続されている
ことを特徴とする請求項１に記載のカップリング組立体。
【請求項３】
前記係着ハウジングは環状端面部及び前記環状端面部の外周から延出した接続部を含み、前記環状端面部には前記貫通口が開けられており、前記接続部には衝撃波ガンヘッドと係接して嵌合されるための係接具が設けられている
ことを特徴とする請求項２に記載のカップリング組立体。
【請求項４】
前記接続部は第一弾性具を含み、前記第一弾性具には衝撃波ガンヘッドの取り付け端部と係接して嵌合されるための第一スナップフィットが設けられている
ことを特徴とする請求項３に記載のカップリング組立体。
【請求項５】
前記接続部はさらに第二弾性具を含み、前記第二弾性具には衝撃波ガンヘッドの外面と係接して嵌合されるための第二スナップフィットが設けられている
ことを特徴とする請求項４に記載のカップリング組立体。
【請求項６】
前記第一弾性具と前記第二弾性具とは間隔を開けて設置されている
ことを特徴とする請求項５に記載のカップリング組立体。
【請求項７】
前記第一弾性具と前記第二弾性具との間にストリップ状ギャップが形成されており、前記ストリップ状ギャップが前記環状端部から遠く離れる方向で上から下へ広くなる形をしている
ことを特徴とする請求項６に記載のカップリング組立体。
【請求項８】
前記係着ハウジングの内面形状は衝撃波ガンヘッドの外面形状と一致しており、前記凸部と前記貫通口との間は接触して嵌合されている
ことを特徴とする請求項１〜７の何れか一項に記載のカップリング組立体。
【請求項９】
請求項１〜８の何れか一項に記載のカップリング組立体に適用できる
ことを特徴とするカップリング媒質。
【請求項１０】
衝撃波ガンヘッド及び衝撃波ガンヘッドの先端面に取り付けられた
ことを特徴とする請求項１〜８の何れか一項に記載のカップリング組立体を含む衝撃波ガンヘッド機構。
【発明の詳細な説明】
【技術分野】
【０００１】
本発明は衝撃波の医療用機器の技術分野に関し、具体的に、カップリング組立体、このカップリング組立体に適用されるカップリング媒体及びこのカップリング組立体を有する衝撃波ガンヘッド機構に関する。
【背景技術】
【０００２】
整形外科の臨床では、衝撃波は、偽関節、踵骨痛、テニス肘及び五十肩などの適応症に利用できる。衝撃波による治療において、通常では、医師が手で衝撃波ガンのハンドルを持って、衝撃波のガンヘッドの先端面を患者の体表面に密接させて、位置を固定させて又は体表面皮膚にそって往復移動させて、衝撃波のエネルギーが患者の体表面を介して体内の患部に安定且つ有効に伝わるのを保証する。
【０００３】
従来の治療では、医師は先ず患部の体表面皮膚にゲル状カプラントを塗ることで衝撃波ガンヘッドの端面と体表面との間のエアギャップを無くして、そして衝撃波ガンヘッドを使って体表面上でスライドして治療を行う。そして、ゲル状カプラントは治療の過程で段々液化して、流れて且つ服と衝撃波機器に付いて、後続の清掃作業の難易度を上げてしまう。また、液化したゲルカプラントが衝撃波のエネルギーで衝撃を受けて跳ねて、治療する環境やスタッフを汚染してしまう。さらに、治療完了後に、大量のティッシュでゲル状カプラントを拭いて掃除する必要がある。
【０００４】
上記問題を解決するために、現在では、治療する箇所の表面に貼り付けて衝撃波ガンヘッドと体表面皮膚との間のギャップを充填させて、且つ一定の形状と大きさを有するカップリング媒質がある。しかしながら、実際の治療では、往々にして、異なる治療する症状によって異なる大きさと形状のカップリング媒質をカスタマイズする必要がある。また、衝撃波ガンヘッドの移動中に、カップリング媒質は圧力の変化に伴って変形することで、カップリング媒質と衝撃波ガンヘッド及び体表面の皮膚と良好な張り合わせができなくなり、衝撃波伝達の安定性を保証できなくなり、理想的なカップリング効果を実現できず、衝撃波による治療の効果を弱くしてしまう。
【発明の概要】
【発明が解決しようとする課題】
【０００５】
従来技術の不足に対して、本考案の目的は、衝撃波ガンヘッドから発生した衝撃波の安定且つ有効な伝達を保って、衝撃波による治療の効果を向上させるカップリング組立体を提供することにある。
【課題を解決するための手段】
【０００６】
上記目的を実現するために、本考案はカップリング組立体を提案し、前記カップリング組立体は衝撃波ガンヘッドの先端面に取り付けるためのものであり、カップリング媒質と係着ハウジングとを含み、前記係着ハウジングはカップリング媒質をガンヘッドの先端面と前記係着ハウジングの内面との間に挟みこんで、前記カップリング媒質の衝撃波ガンヘッドの先端面と互いに当接される表面を衝撃波ガンヘッドの先端面と完全に貼り合わせて、前記係着ハウジングのガンヘッドの先端面と対面する表面には貫通口が開けられており、前記カップリング媒質は前記貫通口から延出した凸部を有し、前記凸部の端面は皮膚と貼り合わせるための貼り合わせ面として構成されている。
【０００７】
好ましくは、前記係着ハウジングは係接によりガンヘッドと取り外し可能に接続されている。
【０００８】
好ましくは、前記係着ハウジングは環状端面部及び前記環状端面部の外周から延出した接続部を含み、前記環状端面部には前記貫通口が開けられており、前記接続部には衝撃波ガンヘッドと係接して嵌合されるための係接具が設けられている。
【０００９】
好ましくは、前記接続部は第一弾性具を含み、前記第一弾性具にはガンヘッドの取り付け端部と係接して嵌合されるための第一スナップフィットが設けられている。
【００１０】
好ましくは、前記接続部はさらに第二弾性具を含み、前記第二弾性具には衝撃波ガンヘッドの外面と係接して嵌合されるための第二スナップフィットが設けられている。
【００１１】
好ましくは、前記第一弾性具と前記第二弾性具とは間隔を開けて設置されている。
【００１２】
好ましくは、前記第一弾性具と前記第二弾性具との間にストリップ状ギャップが形成されており、前記ストリップ状ギャップが前記環状端部から遠く離れる方向で上から下へ広くなる形をしている。
【００１３】
好ましくは、前記係着ハウジングの内面形状は衝撃波ガンヘッドの外面形状と一致しており、前記凸部と前記貫通口との間は接触して嵌合されている。
【００１４】
また、本考案はさらに、上記カップリング組立体に適用できるカップリング媒質を提案する。
【００１５】
また、本考案はさらに、衝撃波ガンヘッド及び衝撃波ガンヘッドの先端面に取り付けられた上記のようなカップリング組立体を含む衝撃波ガンヘッド機構を提案する。
【００１６】
本考案の有益効果は以下になる。
本考案のカップリング組立体は使用時では、係着ハウジングによりカップリング媒質を衝撃波ガンヘッドの先端面と係着ハウジングとの間に挟みこむと、カップリング媒質の衝撃波ガンヘッドの先端面と互いに当接される表面を衝撃波ガンヘッドの先端面と完全に貼り合わせることができ、もう一つの面の凸部は係着ハウジングの貫通口から延出できるが、凸部上の貼り合わせ面は患者の患部皮膚表面と貼り合わせることができる。一方、治療の過程において、衝撃波ガンの衝撃波ガンヘッドに上記カップリング組立体が取り付けられているので、衝撃波ガンヘッドと患者の患部皮膚との間は衝撃波ガンヘッドの端部開口に固定されたカップリング媒質により隙間なく移行して、衝撃波ガンヘッドから発生した衝撃波が患部皮膚に安定且つ有効に伝達できるのを保証することで、予想の固体カップリング効果を達成して、衝撃波による治療効果を向上させる。
【図面の簡単な説明】
【００１７】
【図１】本考案の実施例においてカップリング組立体が取り付けられた衝撃波ガンヘッド機構の全体構造模式図である。
【図２】本考案の実施例においてカップリング組立体が取り付けられた衝撃波ガンヘッド機構の分解図である。
【図３】本考案の実施例においてカップリング組立体が取り付けられた衝撃波ガンヘッド機構の部分断面図である。
【発明を実施するための形態】
【００１８】
以下では、本考案の実施例における添付図面と組み合わせ、本考案の実施例における技術案を明確且つ完全に説明する。ここで説明される具体的実施例は本考案を限定するためのものではなく、本考案を説明するためのものだけであることは、理解しておくべきである。
【００１９】
図１から図３に示すように、衝撃波ガンヘッド機構２００は、衝撃波ガンハンドル２２０，衝撃波ガンヘッド２１０及びカップリング組立体１００によって構成されている。カップリング組立体１００は使用時に、衝撃波ガンヘッド２１０の先端に取り付ける必要がある。
【００２０】
具体的に、このカップリング組立体１００はカップリング媒質１と係着ハウジング２を含む。カップリング媒質１は凸部１１を有し、凸部１１の端面は皮膚と貼り合わせるための貼り合わせ面１３として構成され、前記カップリング媒質１はさらに衝撃波ガンヘッド２１０の先端面と互いに当接されて且つ衝撃波ガンヘッド２１０の先端面と完全に張り合わせるための接触面１２を有し、係着ハウジング２はカップリング媒質１を衝撃波ガンヘッド２１０の先端面と係着ハウジング２００の内面との間に挟みこむためのものであるが、係着ハウジング２の衝撃波ガンヘッド２１０の先端面と対面する表面には貫通口が開けられており、凸部１１はこの貫通口から延出することで、凸部１１の貼り合わせ面１３をちょうど貫通口から露出させるか、貫通口から露出してから外へ一定距離延出するようにすることが可能である。
【００２１】
上記カップリング組立体１００は装着されて使用される状態では、係着ハウジング２によりカップリング媒質１を衝撃波ガンヘッド２１０の先端面と係着ハウジング２の内面との間に挟みこんで固定した後では、その接触面１２は衝撃波ガンヘッド２１０の先端面と完全に密着して貼り合わせることができ、もう一つの面の凸部１１は係着ハウジング２の貫通口から露出又は延出するが、これによって凸部１１の貼り合わせ面１３は患者の患部皮膚表面に押さえて貼り合わせることができる。治療の過程において、衝撃波ガンヘッド組立体の衝撃波ガンヘッド２１０に上記カップリング組立体１００が取り付けられているので、衝撃波ガンヘッド２１０と患者の患部皮膚との間は衝撃波ガンヘッド２１０の端部開口に固定されたカップリング媒質１により隙間なく移行して、衝撃波ガンヘッド２１０と患部皮膚との間のエアギャップをなくすることで、衝撃波ガンヘッド２１０から発生した衝撃波の患部皮膚への安定且つ有効な伝達を保証して、期待の固体カップリング効果を達成して、衝撃波による治療効果を向上させることが可能である。
【００２２】
本実施例におけるカップリング媒質１は従来の固体カップリング媒質の調製方法を用いて、カプラント、カップリングゲルなどの材料を、射出成型などのプロセスにより、一体成型された、表面がなめらかで、一定の弾性を持ち、伝導性に優れたシート状カップリング媒質を形成できることは、理解できるであろう。
【００２３】
カップリング媒質１の交換をより便利にするために、及び機器を定期的に清掃及び保守するために、例示的に、係着ハウジング２は取り外し可能に衝撃波ガンヘッド２１０と固定接続されている。好ましくは、使用容易性を向上させて且つ全体としての使用効率を向上させるために、係着ハウジング２は係接により衝撃波ガンヘッド２１０と取り外し可能に接続されてもよい。係着ハウジング２と衝撃波ガンヘッド２１０との間の取り外し可能な接続により、両者の間に挟まれるカップリング媒質１も使い捨ての消耗品として自由に交換できるようになり、治療の衛生や安全性を向上させることは、理解できるであろう。
【００２４】
コストを下げて且つ係着ハウジング２の安定性を上げるために、例示的に、係着ハウジング２は環状端面部２１及び環状端面部２１の外周から延出した接続部を含んでもよいが、環状端面部２１には貫通口が開けられ、接続部には衝撃波ガンヘッド２１０と係接して嵌合されるための係接具が設けられている。
【００２５】
接続部の構造及び接続方式は様々あってもよいが、本実施例において、接続部は第一弾性具２２を含むように構成され、この第一弾性具２２には衝撃波ガンヘッド２１０の取り付け端部と係接して嵌合されるための第一スナップフィット２２１が設けられている。こうして、使用時に、係着ハウジング２を衝撃波ガンヘッド２１０の端部に嵌めてから、第一スナップフィット２２１と衝撃波ガンヘッド２１０の取り付け端部により係接して嵌合すればよく、係着ハウジング２の取り付けや取り外しを便利にできる。
【００２６】
接続の信頼性をさらに向上させるために、本実施例において、接続部はさらに第二弾性具２３を含むが、第二弾性具２３には衝撃波ガンヘッド２１０の外面と係接して嵌合されるための第二スナップフィット２３１が設けられている。この第二スナップフィット２３１と衝撃波ガンヘッド２１０の外面との係接嵌合は、第二弾性具２３が第二スナップフィット２３１に与える弾力及び第二弾性具２３と衝撃波ガンヘッド２１０の外面との摩擦力により実現できる。
【００２７】
本実施例において、第一スナップフィット２２１と第二スナップフィット２３１はそれぞれ第一弾性具２２と第二弾性具２３の端部に設けられているが、他の実施例において、第一スナップフィット２２１と第二スナップフィット２３１の具体的な構造、装着位置及びスナップフィット形式などは他の形態を採用でき、本実施例に限定されないことは、説明しておく必要がある。
【００２８】
接続部と衝撃波ガンヘッド２１０との間の係接力のバランスを保つために、例示的に、第一弾性具２２と第二弾性具２３とを間隔を開けて設置するようにしてもよい。好ましくは、接続部における各弾性具の使用寿命を伸ばして、接続の信頼性を向上させるために、第一弾性具２２と第二弾性具２３との間にストリップ状ギャップ２４を形成して、且つこのストリップ状ギャップが環状端部から遠く離れる方向で上から下へ広くなる形をしているので、第一弾性具２２と第二弾性具２３の弾力を強くして、その寿命と使用効果を向上させることができる。
【００２９】
カップリング媒質１を衝撃波ガンヘッド２１０の端面と係着ハウジング２との間により良く締め付けるために、さらに、係着ハウジング２の内面形状を衝撃波ガンヘッド２１０の外面形状を一致させて、凸部１１と貫通口との間を接触して嵌合するようにできるので、カップリング媒質１と衝撃波ガンヘッド２１０の端面及び係着ハウジング２との間を緊密に結合させて、さらに衝撃波の安定且つ効率良い伝達を保証できることは、理解できるであろう。
【００３０】
以上の実施例の各技術的特徴は任意に組み合わせることができるが、説明を簡潔にするために、上記実施例の全ての技術的特徴の可能な組み合わせについて説明していない。しかしながら、これらの技術的特徴の組み合わせに矛盾が生じない限り、本明細書の記載範囲として見なすべきである。
【００３１】
以上の実施例は本願のいくつかの実施形態を示しただけで、その説明は比較的具体的且つ詳細であるが、それによって特許の範囲に対する制限として理解できるわけではない。当業者にとって、本願の構想から逸脱することなく、さらにいくつかの変形と改良を行うことができるが、これらは全て本願の保護範囲に属することは、説明しておく必要がある。したがって、本願特許の保護範囲は添付の特許請求の範囲に準ずるべきである。
【符号の説明】
【００３２】
１００  カップリング組立体
２００  衝撃波ガンヘッド機構
２１０  衝撃波ガンヘッド
２２０  衝撃波ガンハンドル
１  カップリング媒質
１１  凸部
１２  接触面
１３  貼り合わせ面
２  係着ハウジング
２１  環状端面部
２２  第一弾性具
２２１  第一スナップフィット
２３  第二弾性具
２３１  第二スナップフィット
２４  ストリップ状ギャップ
【図１】
2022001248.tif 000003
【図２】
2022001248.tif 000004
【図３】
2022001248.tif 000005